(57)【特許請求の範囲】
【請求項１】
同軸プラグ部分であって、ケーシング（１０）と内側コンタクト（１８）と外側コンタクト（１６）と絶縁体（２０）とが設けられており、該絶縁体が内側コンタクトと外側コンタクトとの間に配置されている形式のものにおいて、
外側コンタクトがケーシング（１０）に旋回可能に取り付けられており、該外側コンタクトと、外側コンタクトに受容された絶縁体と、該絶縁体に受容された内側コンタクトとが１つのユニット（１２，１４）として旋回可能であり、内側コンタクト（１８）が球形ヘッド（３０）を備えており、該球形ヘッド（３０）にばねクリップ（３４）が被せ嵌められており、該ばねクリップ（３４）がＳＭＴ技術でプリント回路板と結合可能であることを特徴とする、同軸プラグ部分。
【請求項２】
外側コンタクト（１６）が複数の係止フック（２５）を備えており、これらの係止フックがケーシング（１０）に係止されており、内側コンタクトと外側コンタクトと絶縁体とから成るコンタクトユニット（１２，２４）が旋回可能である、請求項１記載の同軸プラグ部分。
【請求項３】
ケーシングが保持リング（１１）を備えており、該保持リング（１１）の差込方向で背後に係止フック（２５）が係止するようになっている、請求項２記載の同軸プラグ部分。
【請求項４】
絶縁体が２つの突出部（２８）を備えていて、かつ外側コンタクト（１６）が２つの切欠（２４）を備えており、両方の前記突出部が保持リング（１１）によって両方の前記切欠（２４）に固定されている、請求項３記載の同軸プラグ部分。
【請求項５】
外側コンタクト（１６）が絶縁体（２０）と共に一方の側からケーシング（１０）に挿入されていて、かつ内側コンタクト（１８）が前記一方の側とは反対側から前記絶縁体に挿入されている、請求項１から４までのいずれか１項記載の同軸プラグ部分。
【請求項６】
内側コンタクト（１８）が絶縁体に係止されている、請求項１から５までのいずれか１項記載の同軸プラグ部分。
【請求項７】
球形ヘッド（３０）がケーシングにおけるコンタクトユニット（１２，２４）の旋回点とほぼ合致するように設けられている、請求項１記載の同軸プラグ部分。
【発明の詳細な説明】
【０００１】
【発明の属する技術分野】
本発明は、同軸プラグ部分であって、ケーシングと内側コンタクトと外側コンタクトと絶縁体とが設けられており、絶縁体が内側コンタクトと外側コンタクトとの間に配置されている形式のものに関する。
【０００２】
【従来の技術】
そのようなプラグ部分がプラグコネクタを形成するために補完的なプラグ部分に差し込まれる場合、両方のプラグ部分は、差込コンタクトの２つの中央軸線がそれぞれ合致するようなセンタリングされた配置形式に対してずらされているかまたはねじれている、というリスクが生じる。そのような誤った方向付けでは、差込コンタクトに不都合に高い負荷が及ぼされ得る。この負荷はコンタクトからその一部がケーシングに沿って伝達され、一部がプラグ部分に取り付けられた構成部材に伝達される。コンタクトが構成部材に特にＳＭＴ技術で溶接されていると、溶接箇所に作用する負荷によって溶接箇所の破損につながるリスクが生じる。
【０００３】
国際公開第００／５２７８８号パンフレットによって、特に高周波技術の分野で、２つのプリント回路板を結合するためのアダプタが公知である。一方のプリント回路板にソケット部分が取り付けられており、このソケット部分は球形ヘッドを備えている。球形ヘッドに絶縁体が旋回可能に取り付けられており、この絶縁体は内側導体と外側導体とを備えている。絶縁体は補完的なソケット部分に差し込むことができ、このソケット部分は他方のプリント回路板に取り付けられている。絶縁体の旋回可能な配置形式に基づいて、両方のプリント回路板の間の横方向のずれを補償することができる。絶縁体の、補完的なソケット部分への種々異なる深さの差込によって、両方のプリント回路板の間隔差を互いに補償することができる。しかしながらこの公知のアダプタはプラグ部分ではなく、プリント回路板−スタックで２つのプリント回路板の間を持続的に結合するために役立つような同軸コネクタである。さらに構成上の手間が比較的大きくなっている。なぜならば内側導体と外側導体とのコンタクトが、絶縁体を枢支式に取り付ける場合極めて手間がかかるという理由による。
【０００４】
【発明が解決しようとする課題】
したがって本発明の課題は、冒頭で述べたような形式の同軸プラグ部分を改良して、プラグ部分が誤った方向付けで補完的なプラグ部分に差し込まれる場合に、コンタクトが、僅かな構成上の手間しかかけずに、僅かな負荷にしかさらされないようなものを提供することである。
【０００５】
【課題を解決するための手段】
この課題を解決するための本発明の装置によれば、外側コンタクトがケーシングに旋回可能に取り付けられており、外側コンタクトと、外側コンタクトに受容された絶縁体と、絶縁体に受容された内側コンタクトとが１つのユニットとして旋回可能である。
【０００６】
【発明の効果】
本発明のように構成されていると、特に簡単な構成が得られる。なぜならば単に単個の構成部材、つまり外側コンタクト、をケーシングに旋回可能に取り付ける必要しかないからである。しかも内側コンタクトと外側コンタクトと絶縁体とから成るコンタクトユニットは、補完的なプラグコネクタに差し込む際に、自動的に両方のプラグ部分の誤った方向付けに応じて方向調節することができるので、互いに入り込むように差し込まれたこれらのコンタクトの中央軸線が合致する。両方のプラグ部分のコンタクトは、過度の負荷を生ぜしめることなく、互いに容易に入り込むように移動することができる。
【０００７】
有利な実施形態によれば、内側コンタクトが球形ヘッドを備えており、該球形ヘッドにばねクリップが被せ嵌められており、該ばねクリップがＳＭＴ技術でプリント回路板と結合することができる。球形ヘッドの使用によって、内側コンタクトとばねクリップとの間の球継手式の結合が生じるので、ばねクリップに運動を伝達することなしに、コンタクトユニットはばねクリップに対して位置調節することができる。これによって、ばねクリップをプリント回路板と結合することのできるようなＳＭＴ溶接箇所が負荷にさらされない、ということが保証される。コンタクトユニットの旋回可能な取付に対する、内側コンタクトとばねクリップとの間の球継手式の結合の影響は無視できる。
【０００８】
有利には、球形ヘッドがケーシングにおけるコンタクトユニットの旋回点とほぼ合致するように設けられいてる。このことによって、内側コンタクト外側コンタクトと絶縁体とから成るユニットがケーシングに対して旋回される場合、ばねクリップと内側コンタクトとの間の並進運動が生じず、単に僅かな角度の旋回運動しか生じない、ということが保証される。
【０００９】
本発明の有利な実施形態は、従属請求項から明らかである。
【００１０】
【発明の実施の形態】
次に本発明の実施の形態を図示の実施例を用いて詳しく説明する。
【００１１】
図１および図２には、重要な構成部材として、ケーシング１０と、ケーシング１０に取り付けられた２つのコンタクトユニット１２，１４とを備えた同軸プラグ部分が示されている。各接触ユニット１２，１４は外側コンタクト６と内側コンタクト１８と絶縁体２０とから形成されている。
【００１２】
ケーシング１０は電気的に絶縁性の材料たとえばプラスチックから形成されていて、かつコンタクトユニットを受容するための２つの開口を備えている。これらの開口にそれぞれ１つの保持リング１１が配設されており、その機能はあとで説明する。
【００１３】
外側コンタクト１６は導電性の材料から形成されていて、かつケーシング１０に配設された端部でスリーブ状のスカート２２を備えており、このスカート２２は２つの切欠２４を備えている。スカート２２の自由端部は、両方の切欠２４によって中断された周方向に延びる突起を備えているので、この自由端部は２つの係止フック２５を形成する。外側コンタクト１６の本体へのスカート２２の移行部に段部が設けられている。これとは反対側の端部で外側コンタクトは弾性的な複数の舌片２６を備えている。
【００１４】
絶縁体２０は電気的に絶縁性の材料から形成されていて、かつ相対して位置する２つの突出部２８を備えており、これらの突出部の寸法は、突出部が外側コンタクト１６の切欠２４に挿入できるように実現されている。
【００１５】
内側コンタクト１８は導電性の材料から形成されていて、ここではスリーブとして形成されており、その一方の端部にスリットが設けられていて、他方の端部に球形ヘッド３０が設けられている。さらに内側コンタクト１８は係止カラー３２を備えている。
【００１６】
内側コンタクト１８にばねクリップ３４が配設されており、このばねクリップ３４はＵ字形状を有している。ばねクリップ３４の相対して位置する両方の脚部は、内側コンタクトの球状ヘッド３０に弾性的に係合するために設けられている。ばねクリップの、両方の脚部を互いに結合するウェブは、表面実装技術（ＳＭＴ−Technilk）で、導電性の面と結合されるために設けられている。
【００１７】
同軸プラグ部分は以下の形式で組み付けられる。まず保持リング１１がケーシング１０に取り付けられる。その場合に保持リング１１の、ケーシング内に位置する端面がアンダカットを形成する。このアンダカットはケーシング１０の一体的な構成の場合には極めて製作が困難である。次いで突出部２８が切欠２４に係合するように、絶縁体２０が外側コンタクト１６に挿入される。続いて外側コンタクト１６が絶縁体２０と共に保持リング１１に挿入され、ここで係止フック２５が保持リング１１の端面の後方にスナップ結合される。係止フック２５と外側コンタクト１６の段部２３との間の間隔は、保持リング１１の長さよりも大きくなっているので、軸方向である程度の遊びが存在する。さらに保持リング１１の内径がスカート２２の外径よりも大きくなっているので、半径方向でも遊びが設けられている。
【００１８】
図２に示されているように、内側コンタクト１８は、絶縁体および外側コンタクト１６とは別の側から、ケーシング１０に取り付けられた絶縁体２０に挿入される。この場合内側コンタクト１８の係止カラー３２が絶縁体２０の内側に突入するので、内側コンタクトは堅固に受容されている。さらに内側コンタクト１８の球形ヘッド３０にばねクリップ３４が被せ嵌められる。したがって同軸プラグ部分の組付が完成される。ここで重要な点は、実質的に外側コンタクト１６だけがケーシングにおけるコンタクトユニットの旋回可能な取付のための役割を担っているということである。旋回性能は、ケーシングにおける保持リング１１とスカート２２との間の半径方向と軸方向との遊びに基づいて得られる。
【００１９】
図３には、ここでは受容部分４０に取り付けられた、組付状態の同軸プラグ部分が示されている。さらに組付状態の同軸プラグ部分に差し込まれた補完的なプラグ部分４２が示されている。補完的なプラグ部分はピン状の複数のコンタクト４４を備えており、これらのコンタクト４４は同軸プラグ部分の内側コンタクト１８に挿入されている。図３には、どのように斜めに下位の外側コンタクト１６がケーシング１０と保持リング１１とに受容されているのかがはっきりと示されている。保持リング１１の左側の端面と段部２３との間の間隔は、下側で、上側よりも極めて小さくなっている。なぜならばこの外側コンタクト１６が絶縁体２０と内側コンタクト１８と共にケーシング１０に対して、反時計回り方向で旋回運動されているからである。コンタクトユニットの旋回運動は、内側コンタクト１８の球形ヘッド３０の中心点とほぼ合致する旋回点を中心に行われる。したがって、外側コンタクト１６と内側コンタクト１８と絶縁体２０とから成るユニットが斜めに差し込まれた補完的なプラグ部分に適合する際に、ばねクリップ３４と球形ヘッド３０との間の旋回運動だけしか生じない。このような旋回運動は、球形ヘッド３０とばねクリップ３４との間の摩擦力にもかかわらず、コンタクトユニット１２，１４の自由前方端部と旋回点との間の大きな間隔に基づいて、球形ヘッド３０に沿って僅かな力で達成される。なぜならば作用する力が大きなてこ腕を有しているからである。この必要な力は、球形ヘッドとばねクリップとの間の並進運動にとって必要である力よりも著しく小さい。なぜならば並進運動は長いてこ腕で得られないからである。
【図面の簡単な説明】
【図１】本発明の同軸プラグ部分を示す斜視図である。
【図２】図１の同軸プラグ部分の分解斜視図である。
【図３】補完的なプラグ部分を備えた、図１の同軸プラグ部分を示す断面図である。
【符号の説明】
１０  ケーシング、  １１  保持リング、  １２，１４  コンタクトユニット、  １６  外側コンタクト、  １８  内側コンタクト、  ２０  絶縁体、  ２２スカート、  ２３  段部、  ２４  切欠、  ２５  係止フック、  ２６  舌片、  ２８  突出部、  ３０  球形ヘッド、  ３２  係止カラー、  ３４  ばねクリップ、  ４０  受容部分、  ４２  補完的なプラグ部分、  ４４  コンタクト
【図１】
0003683541.tif 000002
【図２】
0003683541.tif 000003
【図３】
0003683541.tif 000004